(57)【特許請求の範囲】
【請求項１】
自動販売機本体の販売対応面に設けられ、背面側からの照明光に対して透光性を示すと共に背面側から照明光がない状態では背面側が透視しにくいような光透過機能を有した板に販売商品をそれぞれ個別に表示した複数のフレーバ部と、前記フレーバ部の背面にそれぞれ配置され前記フレーバ部を個々に背面側から照明する照明手段と、自動販売機本体の販売対応面の前方を検知領域とする人体検知手段と、投入された金銭を識別する金銭識別手段とを備え、前記人体検知手段が人体を検知していない時には、全ての前記フレーバ部の前記照明手段が消灯または通常点灯時よりも照度を下げて点灯しており、前記人体検知手段が人体を検知してから前記金銭識別手段により金銭の投入を検知するまで、おすすめ商品に対応する前記フレーバ部の前記照明手段が、前記人体検知手段が人体を検知する前と異なる点灯制御であって、おすすめ商品でない商品に対応する前記フレーバ部の前記照明手段と異なる点灯制御を行って、おすすめ商品をアピールすることを特徴とする自動販売機。
【請求項２】
自動販売機の周囲温度を検知する外気温度検知手段を備え、人体検知手段が人体を検知した時にアピールするおすすめ商品は、前記外気温度検知手段で検知した温度帯に応じて設定された商品であることを特徴とする請求項１に記載の自動販売機。
【請求項３】
現在月日を判断するカレンダー手段を設け、人体検知手段が人体を検知した時にアピールするおすすめ商品は、前記カレンダー手段による日付けに応じて設定された商品であることを特徴とする請求項１に記載の自動販売機。
【請求項４】
現在時刻を判断するタイマー手段を設け、人体検知手段が人体を検知した時にアピールするおすすめ商品は、前記タイマーを基に判断した人体検知手段が人体を検知した時の時間帯に応じて設定された商品であることを特徴とする請求項１に記載の自動販売機。
【請求項５】
おすすめ商品選択手段を設け、人体検知手段が人体を検知した時にアピールするおすすめ商品は、前記おすすめ商品選択手段にて設定された商品であることを特徴とする請求項１に記載の自動販売機。
【発明の詳細な説明】
【技術分野】
【０００１】
本発明は、自動販売機の販売対応面に収納商品表示用フレーバ部とフレーバ部個々に照明手段を設け、フレーバ部個々の照明手段を制御できる自動販売機に関するものである。
【背景技術】
【０００２】
従来、この種の自動販売機では、自動販売機本体の前面の販売対応面に、販売商品を表示する商品表示部（フレーバ部）や商品のイメージ広告を行う広告部などの表面を覆うサインボード、商品を選択する選択ボタン、硬貨投入口、硬貨返却口、商品取出し口などが設けられている。サインボードは、透光性を有するアクリル板などで形成され、背面側から蛍光灯などの光源を有する主照明部で、サインボード全体を照明される。また、販売対応面に人体検知手段を設け、この人体検知手段で販売対応面の前方の検知領域内に進入する人体を検知すると、主照明部を点灯させ、また、人体検知手段で人体を検知しない時には、主照明部を消灯させることにより省エネルギーを図った自動販売機がある（例えば、特許文献１参照）。
【特許文献１】特開２０００−１３７８６３号公報
【発明の開示】
【発明が解決しようとする課題】
【０００３】
しかしながら、前記従来の構成のように、省エネルギーに対応して、主照明部を消灯させてしまうと、遠方からでは自動販売機の電源が切れていて販売していないものと間違えやすく、集客効果を損なうと共に販売機会を失いやすいという課題を有していた。
【０００４】
本発明は、上記従来の課題を解決するもので、販売商品を表示するフレーバ部個々に照明手段を設けると共に、自動販売機本体の販売対応面の前方を検知領域とする人体検知手段を備えた自動販売機で、省エネルギー効果を低下させることなく、集客効果を高め、販売促進できる自動販売機を提供することを目的とする。
【課題を解決するための手段】
【０００５】
前記従来の課題を解決するために、本発明の自動販売機は、自動販売機本体の販売対応面に設けられ、背面側からの照明光に対して透光性を示すと共に背面側から照明光がない状態では背面側が透視しにくいような光透過機能を有した板に販売商品をそれぞれ個別に表示した複数のフレーバ部と、前記フレーバ部の背面にそれぞれ配置され前記フレーバ部を個々に背面側から照明する照明手段と、自動販売機本体の販売対応面の前方を検知領域とする人体検知手段と、投入された金銭を識別する金銭識別手段とを備え、前記人体検知手段が人体を検知していない時には、全ての前記フレーバ部の前記照明手段が消灯または通常点灯時よりも照度を下げて点灯しており、前記人体検知手段が人体を検知してから前記金銭識別手段により金銭の投入を検知するまで、おすすめ商品に対応する前記フレーバ部の前記照明手段が、前記人体検知手段が人体を検知する前と異なる点灯制御であって、おすすめ商品でない商品に対応する前記フレーバ部の前記照明手段と異なる点灯制御を行って、おすすめ商品をアピールするのである。
【０００６】
本発明の自動販売機は、人体検知手段が人体を検知していない時には、全てのフレーバ部の照明手段が消灯または通常点灯時よりも照度を下げて点灯しており、人体検知手段が人体を検知してから金銭識別手段により金銭の投入を検知するまで、おすすめ商品に対応するフレーバ部の照明手段が、人体検知手段が人体を検知する前と異なる点灯制御であって、おすすめ商品でない商品に対応するフレーバ部の照明手段と異なる点灯制御を行って、おすすめ商品をアピールするので、省エネルギー効果を低下させることなく、おすすめ商品を利用客にアピールすることができ、販売促進につなげられる。
【発明の効果】
【０００７】
本発明の自動販売機は、人体検知手段が人体を検知していない時には、全てのフレーバ部の照明手段が消灯または通常点灯時よりも照度を下げて点灯しており、人体検知手段が人体を検知してから金銭識別手段により金銭の投入を検知するまで、おすすめ商品に対応するフレーバ部の照明手段が、人体検知手段が人体を検知する前と異なる点灯制御であっ
て、おすすめ商品でない商品に対応するフレーバ部の照明手段と異なる点灯制御を行って、おすすめ商品をアピールするので、省エネルギー効果を低下させることなく、おすすめ商品を利用客にアピールすることができ、販売促進につなげられる。
【発明を実施するための最良の形態】
【０００８】
請求項１に記載の発明は、自動販売機本体の販売対応面に設けられ、背面側からの照明光に対して透光性を示すと共に背面側から照明光がない状態では背面側が透視しにくいような光透過機能を有した板に販売商品をそれぞれ個別に表示した複数のフレーバ部と、前記フレーバ部の背面にそれぞれ配置され前記フレーバ部を個々に背面側から照明する照明手段と、自動販売機本体の販売対応面の前方を検知領域とする人体検知手段と、投入された金銭を識別する金銭識別手段とを備え、前記人体検知手段が人体を検知していない時には、全ての前記フレーバ部の前記照明手段が消灯または通常点灯時よりも照度を下げて点灯しており、前記人体検知手段が人体を検知してから前記金銭識別手段により金銭の投入を検知するまで、おすすめ商品に対応する前記フレーバ部の前記照明手段が、前記人体検知手段が人体を検知する前と異なる点灯制御であって、おすすめ商品でない商品に対応する前記フレーバ部の前記照明手段と異なる点灯制御を行って、おすすめ商品をアピールするので、省エネルギー効果を低下させることなく、おすすめ商品を利用客にアピールすることができ、販売促進につなげられる。
【０００９】
請求項２に記載の発明は、請求項１に記載の発明に、自動販売機の周囲温度を検知する外気温度検知手段を備え、人体検知手段が人体を検知した時にアピールするおすすめ商品は、前記外気温度検知手段で検知した温度帯に応じて設定された商品であるので、外気温度検知手段で検知した温度帯に応じて設定されたおすすめ商品を利用客にアピールすることができる。
【００１０】
請求項３に記載の発明は、請求項１に記載の発明に、現在月日を判断するカレンダー手段を設け、人体検知手段が人体を検知した時にアピールするおすすめ商品は、前記カレンダー手段による日付けに応じて設定された商品であるので、季節に応じたおすすめ商品を利用客にアピールできる。
【００１１】
請求項４に記載の発明は、請求項１に記載の発明に、現在時刻を判断するタイマー手段
を設け、人体検知手段が人体を検知した時にアピールするおすすめ商品は、前記タイマーを基に判断した人体検知手段が人体を検知した時の時間帯に応じて設定された商品であるので、時間帯に応じて、おすすめ商品を変更することができる。
【００１２】
請求項５に記載の発明は、請求項１に記載の発明に、おすすめ商品選択手段を設け、人体検知手段が人体を検知した時にアピールするおすすめ商品は、前記おすすめ商品選択手段にて設定された商品であるので、オペレータが利用客に販売促進のアピールをしたい商品を自由に設定できる。
【００１３】
以下、本発明の実施の形態について図面を参照しながら説明するが、この実施の形態によって本発明が限定されるものではない。
【００１４】
（実施の形態１）
図１は本発明の実施の形態１を示す自動販売機の正面図である。図２は、同実施の形態の自動販売機の制御装置の機能ブロック図である。図３は、同実施の形態の自動販売機の動作を示すフローチャートである。
【００１５】
図１、図２において、筐体１は自動販売機本体であり、前部開口部には外扉２が販売対応面として配置されている。外扉２の上部に販売商品を表示する商品表示部（フレーバ部）３が複数配置され、フレーバ部３の背面には、各々のフレーバ部３を個々に照明する照明手段４が配置されている。照明手段４は、例えば、発光ダイオード（ＬＥＤ）などで、単色または、複数色を発光可能とするものが用いられ、同一色の照明手段４が配列されたり、異なる色の発光色の照明手段４が交互に配列されたり、複数色を発光可能とする照明手段４が配列され、連続点灯、点滅、順次点灯、順不同に点灯させるランダム点灯、発光色を順次変更点灯、発光色のランダム点灯などの点灯制御ができる。
【００１６】
フレーバ部３はシルク印刷したアクリルなどで板状に形成され、着脱可能に装着されていると共に、背面側からの照明光に対して透光性を示すと共に、背面側から照明光がない状態では背面側が透視しにくいような光透過機能を有している。各々のフレーバ部３の下部には、商品選択手段５が配置されている。フレーバ部３の下方には商品のイメージ広告などを掲示する広告パネル室６、金銭投入口７、釣銭返却口８、金額表示手段９、商品取出し口１１が備えられている。
【００１７】
人体検知手段１０は、例えば赤外線センサ、超音波センサ、光電スイッチ、光センサなどで構成されており、自動販売機本体１の販売対応面２の前方を検知領域として、この検知領域に進入する人体を検知する。外気温度検知手段１２は自動販売機本体１の周囲温度を検知する。金銭識別手段１３は、金銭投入口から投入された金銭を識別し、また、釣銭等がある場合は釣銭返却口へ金銭を返却する。
【００１８】
商品コード設定手段１４は、商品選択手段５を押した時に販売する商品の収納庫の番号、商品コード、商品の種類、冷／温の識別等を設定するもので、設定した各種データは設定データ記憶手段１５に記憶されている。フレーバ部３の表示内容と商品選択手段に設定された商品コード等とは一致するよう設定されている。制御部１６ａは照明手段４、商品選択手段５、金銭識別手段１３、人体検知手段１０、外気温度検知手段１２、商品コード設定手段１４、設定データ記憶手段１５と接続されている。
【００１９】
以上のように構成された自動販売機の制御装置について、以下、図３を用いて動作を説明する。
【００２０】
まず、販売可能状態で商品選択手段５が押された時に、販売する商品を商品コード設定手段１４で、あらかじめ設定されている。設定されている内容は、例えば、該当の商品がどの商品収納庫に収納されているのか（収納庫番号の設定）、該当商品がコールド商品かホット商品か（商品の冷／温設定）、該当商品の種類（コーヒー系、ジュース系、お茶系）等が設定可能で、商品コード設定手段１４で設定された各種データは、設定データ記憶手段１５に記憶されている。
【００２１】
待機状態において、人体検知手段１０により、自動販売機本体１の販売対応面２の前方を検知領域とした範囲内に人がいるかどうか判断する（ＳＴＥＰ１）。検知領域内に人がいないと判断した時は、待機状態のままで、フレーバ部３の照明手段４にて、全フレーバ部３の照明を消灯する（ＳＴＥＰ２）。人体検知手段１０の検知領域内に人がいると判断した時はＳＴＥＰ３へ進み、外気温度検知手段１２にて、自動販売機周辺温度が何度か判定する。外気温度が高温（例えば、２５度以上）と判断した時は、設定データ記憶手段１５に記憶されている各フレーバ部３に設定されている商品の中からコールド商品を抽出し該当の照明手段４を点灯させる（ＳＴＥＰ４）。
【００２２】
ＳＴＥＰ３で、外気温度が低温（例えば、１０度未満）と判断した時は、設定データ記憶手段１５に記憶されている各フレーバ部３に設定されている商品の中からホット商品を抽出し該当の照明手段４を点灯させる（ＳＴＥＰ５）。ＳＴＥＰ３で、外気温度が中温（例えば、１０度以上２５度未満）と判断した時は、フレーバ部３の全商品の照明手段４を点灯させる（ＳＴＥＰ６）。ＳＴＥＰ４、ＳＴＥＰ５、ＳＴＥＰ６のいずれかで照明手段４を点灯した後、ＳＴＥＰ７へ進む。ＳＴＥＰ７で金銭が投入されたかどうか判定し、金銭が投入されない場合は、人体検知手段１０で人がいなくなるか、金銭を投入する（ＳＴＥＰ７）まで、照明手段４の点灯状態は保持され、人がいなくなると、フレーバ部３の照明手段にて、全フレーバ部の照明を消灯する（ＳＴＥＰ２）。
【００２３】
ＳＴＥＰ７で金銭が投入されると、商品販売モードへ移行し、フレーバ部３の販売可能商品の照明手段４と商品選択手段５に含まれている販売可能ランプ〔図示せず〕を点灯させる（ＳＴＥＰ８）。次に、ＳＴＥＰ９へ進み、販売可能商品を選択したか判定し、販売可能ランプの点灯している商品選択手段５が押されると、選択商品を販売し（ＳＴＥＰ１０）、商品販売後、フレーバ部３の照明手段３を全て消灯し（ＳＴＥＰ１１）、待機状態に戻る。
【００２４】
以上のように本実施の形態の自動販売機の制御装置によれば、自動販売機本体１の販売対応面に設けられ、販売商品を表示するフレーバ部３と、フレーバ部３個々に設けられた照明手段４と、自動販売機本体１の販売対応面の前方を検知領域とする人体検知手段１０と、自動販売機の周囲温度を検知する外気温度検知手段１２を備えたものであり、人体検知手段１０が人体を検知した時、外気温度検知手段１２で検知した温度に基づいて、フレーバ部３に設けられた照明手段４を個々に制御することにより、人が近づいた時、暑い時はコールド商品のフレーバ部３の照明手段４を、寒い時はホット商品のフレーバ部３の照明手段４を点灯するように、外気温度に応じて、照明を点灯するフレーバ部を選択できるので、点灯フレーバ部を通じて、おすすめ商品を利用客にアピールすることができ、販売促進につなげられる。
【００２５】
おすすめ商品以外の商品（フレーバ部３を点灯していない商品）は点灯していないが、商品選択ボタンは点灯しているので、販売可能状態となっており、おすすめ商品以外の商品も買うことができる。
【００２６】
尚、本実施の形態では、人が近づいた時、対象のフレーバ部の照明手段を点灯させたが、対象フレーバ部の照明手段を対象に、点滅させるとか、順次点灯させるとか、ランダム点灯させるとか、発光色を順次変更点灯させるとか、発光色のランダム点灯などの点灯制御としても良い。また、暑い時にはコールド商品、寒い時にはホット商品と切り分けたが、他の商品群（例えば、コーヒー系、ジュース系の商品群）で切り分けても良い。
【００２７】
（実施の形態２）
図４は、本発明の実施の形態２の自動販売機の制御機能ブロック図である。図５は、同実施の形態の動作を示すフローチャートである。尚、実施の形態１と同一構成については、同一符号を付して詳細な説明を省略する。
【００２８】
図４において、カレンダー手段１７は、制御部１６ｂに接続され、現在年月日を計測している。
【００２９】
以上のように構成された自動販売機の制御装置について、以下、図５を用いて、その動作を説明する。
【００３０】
まず、人体検知手段１０により、自動販売機本体１の販売対応面２の前方を検知領域とした範囲内に人がいるかどうか判断する（ＳＴＥＰ１）。検知領域内に人がいないと判断した時は、待機状態のままで、フレーバ部３の照明手段４にて、全フレーバ部３の照明を消灯する（ＳＴＥＰ２）。人体検知手段１０の検知領域内に人がいると判断した時はＳＴＥＰ１３へ進み、カレンダー手段１７にて、現在月日を判定する。
【００３１】
現在月日が６月から８月の夏場と判断した時は、設定データ記憶手段１５に記憶されている各フレーバ部３に設定されている商品の中からコールド商品を抽出し該当の照明手段４を点灯させる（ＳＴＥＰ１４）。ＳＴＥＰ１３で、現在月日が１２月から２月の冬場と判断した時は、設定データ記憶手段１５に記憶されている各フレーバ部３に設定されている商品の中からホット商品を抽出し該当の照明手段４を点灯させる（ＳＴＥＰ１５）。ＳＴＥＰ１３で、現在月日が３月から５月の春場、或いは９月から１１月の秋場と判断した時は、フレーバ部３の全商品の照明手段４を点灯させる（ＳＴＥＰ１６）。ＳＴＥＰ１４、ＳＴＥＰ１５、ＳＴＥＰ１６のいずれかで照明手段４を点灯した後、ＳＴＥＰ７へ進む。ＳＴＥＰ７以降は実施の形態１と同じ動作であり省略する。
【００３２】
以上のように本実施の形態の自動販売機の制御装置によれば、カレンダー手段１７を設け、制御部１６ｂに接続したものであり、人体検知手段１０が人体を検知した時、カレンダー手段１７で検知した現在月日に基づいて、フレーバ部３に設けられた照明手段４を個々に制御することにより、人が近づいた時、夏場はコールド商品のフレーバ部３の照明手段４を、冬場はホット商品のフレーバ部３の照明手段４を点灯するように、季節に応じて、照明を点灯するフレーバ部を選択できるので、点灯フレーバ部を通じて、季節に応じたおすすめ商品を利用客にアピールすることができ、販売促進につなげられる。
【００３３】
おすすめ商品以外の商品（フレーバ部３を点灯していない商品）は点灯していないが、商品選択ボタンは点灯しているので、販売可能状態となっており、おすすめ商品以外の商品も買うことができる。
【００３４】
尚、本実施の形態では、カレンダー手段での判定を、春夏秋冬で区分けしたが、季節にこだわる必要性はなく、自由に月日判定を行い、点灯フレーバ部を自由に変更しても良い。
【００３５】
（実施の形態３）
図６は、本発明の実施の形態３の自動販売機の制御機能ブロック図である。図７は、同実施の形態の動作を示すフローチャートである。尚、実施の形態１と同一構成については、同一符号を付して詳細な説明を省略する。
【００３６】
図６において、照明可変制御手段１８は、制御部１６ｃに接続され、照明手段４の明るさを、制御部１６ｃを通じて、可変制御するものである。
【００３７】
以上のように構成された自動販売機の制御装置について、以下、図７を用いて、その動作を説明する。
【００３８】
まず、人体検知手段１０により、自動販売機本体１の販売対応面２の前方を検知領域とした範囲内に人がいるかどうか判断する（ＳＴＥＰ１）。検知領域内に人がいないと判断した時は、待機状態のままで、フレーバ部３の照明手段４に対して、照明可変制御手段１８を通じて、全フレーバ部３の照明の照度を下げる（ＳＴＥＰ２１）。人体検知手段１０の検知領域内に人がいると判断した時はＳＴＥＰ３へ進み、外気温度検知手段１２にて、自動販売機周辺温度が何度か判定する。
【００３９】
外気温度が高温（例えば、２５度以上）と判断した時は、設定データ記憶手段１５に記憶されている各フレーバ部３に設定されている商品の中からコールド商品を抽出し、照明可変制御手段１８を通じて、該当の照明手段４の照度を上げ、他のフレーバ部より明るくする（ＳＴＥＰ２２）。ＳＴＥＰ３で、外気温度が低温（例えば、１０度未満）と判断した時は、設定データ記憶手段１５に記憶されている各フレーバ部３に設定されている商品の中からホット商品を抽出し、照明可変制御手段１８を通じて、該当の照明手段４の照度を上げ、他のフレーバ部より明るくする（ＳＴＥＰ２３）。
【００４０】
ＳＴＥＰ３で、外気温度が中温（例えば、１０度以上２５度未満）と判断した時は、照明可変制御手段１８を通じて、フレーバ部３の全商品の照明手段４の照度を上げる（ＳＴＥＰ２４）。ＳＴＥＰ２２、ＳＴＥＰ２３、ＳＴＥＰ２４のいずれかで照明手段４の照度を上げ、明るくした後、ＳＴＥＰ７へ進む。ＳＴＥＰ７で金銭が投入されたかどうか判定し、金銭が投入されない場合は、人体検知手段１０で人がいなくなるか、金銭を投入する（ＳＴＥＰ７）まで、照明手段４の点灯状態は保持され、人がいなくなると、照明可変制御手段１８を通じて、全フレーバ部３の照明手段４の照度を下げる（ＳＴＥＰ２１）。
【００４１】
ＳＴＥＰ７で金銭が投入されると、商品販売モードへ移行し、フレーバ部３の販売可能商品の照明手段４と商品選択手段５に含まれている販売可能ランプ〔図示せず〕を点灯させる（ＳＴＥＰ２５）。この時、販売不可商品の照明手段４と販売可能ランプは消灯させ、ＳＴＥＰ９へ進む。ＳＴＥＰ９以降は実施の形態１と同じ動作であり、省略する。
【００４２】
以上のように本実施の形態の自動販売機の制御装置によれば、照明手段４の明るさを可変制御できる照明可変制御手段１８を設け、人体検知手段１０が人体を検知している時としていない時でフレーバ部３の照明の明るさを変えることにより、人体を検知していない時にフレーバ部３の照明の明るさを暗くすれば、消費電力量を抑えることができる。また、人体を検知した時は、おすすめ商品とそうでない商品のフレーバ部３の照明の明暗のメリハリをつけることで、おすすめ商品を利用客に、よりアピールできる。
【００４３】
尚、照明可変制御手段１８は、照明手段４の電圧を可変にするとか、電流値を可変にするとか、照明手段の点灯／消灯のデューティ比を変えて、照明手段４の明るさを変えても良い。
【００４４】
（実施の形態４）
図８は、本発明の実施の形態４の自動販売機の制御機能ブロック図である。図９は、同実施の形態の動作を示すフローチャートである。尚、実施の形態１と同一構成については、同一符号を付して詳細な説明を省略する。
【００４５】
図８において、タイマー手段１９は、制御部１６ｄに接続され、現在時刻を計測している。
【００４６】
以上のように構成された自動販売機の制御装置について、以下、図９を用いて、その動作を説明する。
【００４７】
まず、人体検知手段１０により、自動販売機本体１の販売対応面２の前方を検知領域とした範囲内に人がいるかどうか判断する（ＳＴＥＰ１）。検知領域内に人がいないと判断した時は、待機状態のままで、フレーバ部３の照明手段４にて、全フレーバ部３の照明を消灯する（ＳＴＥＰ２）。人体検知手段１０の検知領域内に人がいると判断した時はＳＴＥＰ３１へ進み、タイマー手段１９にて、現在時刻を判定する。現在時刻が朝と判断した時は、設定データ記憶手段１５に記憶されている各フレーバ部３に設定されている商品の中から例えば、コーヒー系商品を抽出し該当の照明手段４を点灯させる（ＳＴＥＰ３２）。
【００４８】
ＳＴＥＰ３１で、現在時刻が昼と判断した時は、設定データ記憶手段１５に記憶されている各フレーバ部３に設定されている商品の中からジュース系商品を抽出し該当の照明手段４を点灯させる（ＳＴＥＰ３３）。ＳＴＥＰ３１で、現在時刻が夜と判断した時は、フレーバ部３の全商品の照明手段４を点灯させる（ＳＴＥＰ３４）。ＳＴＥＰ３２、ＳＴＥＰ３３、ＳＴＥＰ３４のいずれかで照明手段４を点灯した後、ＳＴＥＰ７へ進む。ＳＴＥＰ７以降は実施の形態１と同じ動作であり、省略する。
【００４９】
以上のように本実施の形態の自動販売機の制御装置によれば、タイマー手段を設け、人体検知手段が人体を検知した時の時間帯に基づいて、フレーバ部に設けられた照明手段を個々に制御することで、時間帯に応じて、おすすめ商品を変更することができる。
【００５０】
尚、本実施の形態では、朝、昼、夜といった区分をしたが、こまめに時間帯で区分しても良い。また、販売都度、過去１週間或いは過去１ヶ月の曜日別時間帯別の販売数を集計し、人体を検知した時の時刻に対して、最近の時間帯別の販売状況に応じて、点灯するフレーバ部の照明手段を選択できるようにしても良い。
【００５１】
（実施の形態５）
図１０は、本発明の実施の形態５の自動販売機の制御機能ブロック図である。図１１は、同実施の形態の動作を示すフローチャートである。尚、実施の形態１と同一構成については、同一符号を付して詳細な説明を省略する。
【００５２】
図１０において、おすすめ商品選択手段２０は、制御部１６ｅに接続され、人体を検知した時、どのフレーバ部３の照明手段４を点灯させるのか、設定する手段であり、おすすめ商品選択手段２０で設定した内容は設定データ記憶手段１５に記憶される。
【００５３】
以上のように構成された自動販売機の制御装置について、以下、図１１を用いて、その動作を説明する。
【００５４】
あらかじめ、おすすめ商品選択手段２０にて、おすすめ商品を設定し、設定データ記憶手段１５に記憶する。
【００５５】
待機状態にて、人体検知手段１０により、自動販売機本体１の販売対応面２の前方を検知領域とした範囲内に人がいるかどうか判断する（ＳＴＥＰ１）。検知領域内に人がいないと判断した時は、待機状態のままで、フレーバ部３の照明手段４にて、全フレーバ部３の照明を消灯する（ＳＴＥＰ２）。
【００５６】
人体検知手段１０の検知領域内に人がいると判断した時はＳＴＥＰ４１へ進み、設定データ記憶手段１５に記憶されているおすすめ商品を選別する。おすすめ商品と判定した時はＳＴＥＰ４２へ進み、フレーバ部３の照明手段４を点灯した後、ＳＴＥＰ７へ進む。ＳＴＥＰ７以降は実施の形態１と同じ動作であり、省略する。
【００５７】
以上のように本実施の形態の自動販売機の制御装置によれば、おすすめ商品選択手段２０を設け、人体検知手段１０が人体を検知した時、おすすめ商品選択手段２０にて設定したフレーバ部３の照明手段４を制御することで、オペレータが利用客に販売促進のアピールをしたい商品を自由に設定できる。
【産業上の利用可能性】
【００５８】
以上のように、本発明にかかる自動販売機は、点灯フレーバ部を通じて、おすすめ商品を利用客にアピールすることができ、販売促進につなげられるので、あらゆる自動販売機に適用することができる。
【図面の簡単な説明】
【００５９】
【図１】本発明の実施の形態を示す自動販売機の正面図
【図２】本発明の実施の形態１による自動販売機の制御装置の機能ブロック図
【図３】同実施の形態の自動販売機の制御装置の動作を示すフローチャート
【図４】本発明の実施の形態２による自動販売機の制御装置の機能ブロック図
【図５】同実施の形態の自動販売機の制御装置の動作を示すフローチャート
【図６】本発明の実施の形態３による自動販売機の制御装置の機能ブロック図
【図７】同実施の形態の自動販売機の制御装置の動作を示すフローチャート
【図８】本発明の実施の形態４による自動販売機の制御装置の機能ブロック図
【図９】同実施の形態の自動販売機の制御装置の販売時の動作を示すフローチャート
【図１０】本発明の実施の形態５による自動販売機の制御装置の機能ブロック図
【図１１】同実施の形態の自動販売機の制御装置の販売時の動作を示すフローチャート
【符号の説明】
【００６０】
１    自動販売機本体
２    外扉（販売対応面）
３    フレーバ部
４    照明手段
１０  人体検知手段
１２  外気温度検知手段
１６ａ、１６ｂ、１６ｃ、１６ｄ、１６ｅ  制御部
１７  カレンダー手段
１８  照明可変制御手段
１９  タイマー手段
２０  おすすめ商品選択手段
【図１】
0005369453.tif 000002
【図２】
0005369453.tif 000003
【図３】
0005369453.tif 000004
【図４】
0005369453.tif 000005
【図５】
0005369453.tif 000006
【図６】
0005369453.tif 000007
【図７】
0005369453.tif 000008
【図８】
0005369453.tif 000009
【図９】
0005369453.tif 000010
【図１０】
0005369453.tif 000011
【図１１】
0005369453.tif 000012